(57)【要約】【課題】ユニット住宅の外壁の所望の箇所に取り付けでき、半屋内空間を画成する組立構造を提供する。【解決手段】縦横のパイプ２ａ，２ｂ同士を継ぎ材３で接続して構築されたパイプフレーム４に、透明板５ａ〜５ｅを相互に離してジョイント金物で取り付ける。その際、ジョイント金物の両端が、縦横のパイプ２ａ，２ｂ同士の接続箇所と透明板５ａ〜５ｅとにそれぞれ固着されており、透明板５ａ〜５ｅをパイプフレーム４から所定の距離離して支持する。【選択図】          図１
2005002580.tif 000002
【特許請求の範囲】
【請求項１】
家屋の外壁に取り付けられる組立構造において、
縦横のパイプ同士で構築されたパイプフレームと、このパイプフレームから外側に所定の間隔を開けて配設された透明板と、上記パイプと上記透明板とにそれぞれ固着されて上記透明板を支持する支持部材とからなり、
上記透明板同士は任意の間隔を開けて配設されており、上記パイプフレームと上記透明板とにより半屋内空間を画成することを特徴とする、半屋内空間を画成する組立構造。
【請求項２】
前記支持部材の一端は、前記パイプに貫通されて螺子止めできるように螺子棒となっており、他端は、前記透明板に形成された孔に挿し込みできるように複数の足に分岐していることを特徴とする、請求項１に記載の半屋内空間を画成する組立構造。
【請求項３】
前記支持部材は、前記パイプフレームに連結するパイプフレーム連結部と前記透明板に連結する透明板連結部とからなり、
前記パイプフレーム連結部は、リングと、該リング外周側面に固着した前記螺子棒と、この螺子棒に貫通固着されたパイプ受け板とからなり、前記螺子棒の配設位置と対向するリング側面には前記透明板連結部の支持棒を螺合する螺子孔が形成されており、
前記透明板連結部は、前記螺子孔に螺合する前記支持棒と、前記パイプフレーム連結部の反対側で前記支持棒から分岐しており、先端が前記透明板に形成された孔に挿し込まれる前記複数の足と、前記足に貫通固着された透明板受け板とからなることを特徴とする、請求項２に記載の半屋内空間を画成する組立構造。
【請求項４】
前記支持部材の長さを、前記透明板連結部の支持棒の前記リングへの螺合のさせ方で調整可能としたことを特徴とする、請求項３に記載の半屋内空間を画成する組立構造。
【請求項５】
前記パイプ受け板には、前記パイプの外周側面に沿う湾曲した窪みが形成されていることを特徴とする、請求項３または４に記載の半屋内空間を画成する組立構造。
【発明の詳細な説明】
【０００１】
【発明の属する技術分野】
本発明は、開放感のある半屋内空間を画成し、家屋の外壁に取り付けし得る、半屋内空間を画成する組立構造に関する。
【０００２】
【従来の技術】
従来、各種のユニット住宅や簡易住宅に取り付けられるガレージやベランダやバルコニーなどがあり、それらに用いられる各種の化粧材などが開発されている（特許文献１乃至８）。また、居室空間として使用されるサンルームなども、家屋の外壁に取り付けられて半屋内空間を画成する組立構造として、種々の工夫がなされている。
【０００３】
図１４は、ユニット住宅などに取り付けられるサンルームの斜視図である。サンルーム１１は、ユニット住宅（図示しない）に隣接させるように、所定の数のユニット１１ａを独立基礎１１ｂに配置したものであり、サンルーム１１の上面１１ｃや側面１１ｄ，１１ｅの開口にガラス板が嵌装され、前面１１ｆには複数枚のスライド窓１１ｇが取り付けられている。
【０００４】
【特許文献１】
特開平５−０５１９７１号公報
【特許文献２】
特開平１０−０３７３０８号公報
【特許文献３】
特開平１１−０８１４４２号公報
【特許文献４】
特開２００１−２２０８１４号公報
【特許文献５】
特開２００１−２２７０９３号公報
【特許文献６】
特開２００１−２３４５８３号公報
【特許文献７】
特開２００１−２７１４８０号公報
【特許文献８】
特開２００１−２８８８７４号公報
【０００５】
【発明が解決しようとする課題】
しかし、サンルームなどは出来合いの居室空間であるので、居住者の好みに応じて設計した間取りのものをユニット住宅の外壁に取り付けることはできなかった。また、サンルームは空間を密閉するので、スライド窓を開口しない限り、サンルーム内の温度管理はできなかった。
【０００６】
本発明は、上記課題に鑑み、半屋内空間を画成するとともに、家屋の所望の外壁に取り付けることができ、また、外気を適当に導入・排出することができる、半屋内空間を画成する組立構造を提供することを目的とする。
【０００７】
【課題を解決するための手段】
上記課題を解決するために、本発明は、家屋の外壁に取り付けられる組立構造において、縦横のパイプ同士で構築されたパイプフレームと、このパイプフレームから外側に所定の間隔を開けて配設された透明板と、上記パイプと上記透明板とにそれぞれ固着されて透明板を支持する支持部材とからなり、透明板同士は任意の間隔を開けて配設されており、パイプフレームと透明板とにより半屋内空間を画成することを特徴とする。
【０００８】
好ましくは、前記支持部材の一端は、前記パイプに貫通されて螺子止めできるように螺子棒となっており、他端は、前記透明板に形成された孔に挿し込みできるように複数の足に分岐している。
【０００９】
前記支持部材は、好ましくは、パイプフレームに連結するパイプフレーム連結部と透明板に連結する透明板連結部とからなり、前記パイプフレーム連結部は、リングと、このリング外周側面に固着した螺子棒と、この螺子棒に貫通固着されたパイプ受け板とからなり、螺子棒の配設位置と対向するリング側面には透明板連結部の支持棒を螺合する螺子孔が形成されており、透明板連結部は、螺子孔に螺合する支持棒と、パイプフレーム連結部の反対側で支持棒から分岐しており、先端が透明板に形成された孔に挿し込まれる複数の足と、これら複数の足に貫通固着された透明板受け板とからなる。
【００１０】
好ましくは、前記支持部材の長さは、透明板連結部の支持棒のリングへの螺合のさせ方で調整可能とされる。
【００１１】
前記パイプ受け板には、好ましくは、前記パイプの外周側面に沿う湾曲した窪みが形成されている。
【００１２】
本発明により、家屋の外壁にどこでも組立構造を取り付けることができる。この組立構造を構成するパイプフレームは、幾つかの同形同寸法に区画され得ることから、所望の大きさの半屋内空間を画成することができる。そして、パイプフレームに透明板を所定の距離離して取り付けることで、住宅の外壁と組立構造とで半屋内空間を提供できる。また、各透明板は相互に所望の間隔の隙間を開けて支持部材を用いてパイプフレームに取り付けることができるので、透明板の隙間から半屋内空間内に自然な風を取り入れることができ、ガレージやベランダやサンルームなどとは異なる開放感のある空間を提供することができる。さらに、家屋の外壁に取り付けるので、居住者のニーズに応じて後付けでき、リホームの一態様としても組立構造を利用することができる。
【００１３】
【発明の実施の形態】
以下、図面を参照しつつ本発明の実施の形態を説明する。なお、同一または実質的に同等な部材には同一の符号を付した。
図１は、本発明の実施の形態に係る半屋内空間を画成する組立構造の斜視図である。半屋内空間を画成する組立構造１は、縦のパイプ２ａと横のパイプ２ｂとを必要に応じて継ぎ材３を用いて格子状に連結し、地面（又は床面等）から垂直に起立させるとともに、先端から斜め上方へ家屋に向かって傾斜するように組み立て、家屋のベランダや外壁から一定距離に張り出して構築されたパイプフレーム４に、支持部材としてのジョイント金物（詳細は後述する図２を参照）で透明板５ａ〜５ｅを取り付けたものである。なお、透明板５ａ〜５ｅは図１には一部だけ取り付けられているように描かれているが、実際は、ルーフ部と垂直面の全体に取り付けられて、本例ではサンルーフを構成しているものとする。
継ぎ材３は、接続する縦のパイプ２ａと横のパイプ２ｂとの数や方向により各種の形状に形成されることができる。
ここで、半屋内空間を画成するパイプフレーム４の前面（垂直面）と上面（ルーフ部）とは、縦パイプ２ａと横パイプ２ｂとを所定間隔にあけて格子状に連結することにより略長方形に区画された複数の領域４ａ，４ｂに分割される。前面とはユニット住宅６の外壁６ａに平行な垂直面であり、上面とはユニット住宅６の屋根６ｂと同様な傾斜を持つルーフ面である。各領域４ａ，４ｂはそれぞれ同じ大きさに形成できるが、構築物のサイズ又はデザインにより如何様にも変更できることは勿論である。
【００１４】
領域４ａ，４ｂの大きさは、組立構造１が取り付けられるユニット住宅６の建築基準寸法に基づき、かつパイプフレーム４の基本単位のサイズである。この「建築基準寸法」とは、「建築モジュール」とか、単に「モジュール」と呼ばれ、設計の基準となる寸法である。通常、合板や柱などは、この建築基準寸法に従って作製されており、住宅の場合には、１ｍとか９０ｃｍの値が採用されている。また、「基本単位」とは、組立構造１を外壁６ａであればどこでも取り付けできるように算出された最小の値である。透明板５ａならびにパイプフレーム４を構築する縦のパイプ２ａおよび横のパイプ２ｂは、領域４ａ，４ｂの大きさに基づいて作製されている。これにより、ユニット住宅６の外壁６ａへの取付箇所を任意に選択でき、これらの領域４ａ，４ｂを配列することで所望の大きさのパイプフレーム４を構築できる。なお、図１においては、パイプフレーム４の上面は傾斜しているので、上面と前面とを跨ぐように曲面に成形された透明板５ｂが取り付けられている。それに伴い、透明板５ｂでは、上面の領域４ｂと前面の領域４ａの両サイドを全て覆わないため、その分縦方向の長さが短い透明板５ｃ，５ｄが取り付けてある。このように、透明板５ａ，５ｅのそれぞれとは大きさの異なる透明板５ｃ，５ｄを準備しなければならないので、各領域４ａ，４ｂを透明板５ａ，５ｅで覆うようにしてもよい。
【００１５】
ここで、図１の組立構造１における横のパイプ２ｂと縦のパイプ２ａとの種類について説明する。横のパイプ２ｂの種類としては、接続点Ｐｉｊと接続点Ｐｋｊとの間に架設される第一の横のパイプ２ｂ１と、接続点Ｐｍ１と接続点Ｐｍ９の各継ぎ材３間や接続点Ｐｍ３と接続点Ｐｍ８の各継ぎ材３間にそれぞれ架設される第二の横のパイプ２ｂ２とがある。なお、ｉ＝１〜３，ｊ＝１〜７，ｋ＝ｉ＋１，ｍ＝１，４である。
また、縦のパイプ２ａとして、接続点Ｐｘｙと接続点Ｐｘｚの各継ぎ材３間に架設される第一の縦のパイプ２ａ１と、接続点Ｐｘ５と接続点Ｐｘ７の各継ぎ３材間に架設される第二の縦のパイプ２ａ２と、接続点Ｐｘ７と接続点Ｐｘ８の各継ぎ材３間に架設される第三の縦のパイプ２ａ３と、接続点Ｐｘ８と接続点Ｐｘ９の各継ぎ材３間に架設される第四の縦のパイプ２ａ４と、接続点Ｐｕｙと接続点Ｐｕｚの各継ぎ材間３に架設される第五の縦のパイプ２ａ５と、接続点Ｐｕ５と接続点Ｐｕ７の各継ぎ材３間に架設される第六の縦のパイプ２ａ６とがある。ここで、ｘ＝１，４、ｙ＝１，３、ｚ＝ｙ＋２，ｕ＝２，３で、第一の縦のパイプ２ａ１と第四の縦のパイプ２ａ４と第五の縦のパイプ２ａ５とは何れも長さは同じであるものの、横のパイプ２ｂ１，２ｂ２と接続のための接続部を設けるか否か、設けたとしても設ける個数の点で異なる。また、第二の縦のパイプ２ａ２と第六の縦のパイプ２ａ６とは長さは同じであるものの、横のパイプ２ｂ１と接続するための接続部を設ける個数が異なる。
【００１６】
図２（ａ）は、図１の箇所Ａの斜視図、すなわち、縦横のパイプの接続箇所に取り付けられるジョイント金物の斜視図で、（ｂ）は断面図である。図２に示すように、ジョイント金物９は、縦横のパイプ２ａ５，２ｂ１同士の接続箇所と透明板５ａとを両端で固着し、透明板５ａをパイプフレーム４から所定の距離離して支持する。ジョイント金物９は、パイプフレーム４に連結されるパイプフレーム連結部９ａと透明板５ａに連結される透明板連結部９ｂとから構成される。
【００１７】
ジョイント金物９のパイプフレーム連結部９ａは、略長方形のリング９１の側面、すなわち、パイプフレーム取付側の側面に螺子棒９２が一体成形されたもので、螺子棒９２の長さ方向中間部位またはその周辺には、パイプ受け板９３が貫通されて固着されている。このパイプ受け板９３は、パイプの外周曲面に沿うように湾曲した窪みが形成されている。螺子棒９２のパイプ受け板９３より先端側、すなわちパイプフレーム４側には螺子山が切られている。また、リング９１のパイプフレーム４側と反対側の側面９４、すなわち、透明板取付側の側面には厚みが持たせてあって、透明板連結部９ｂの支持棒９５を螺合可能に螺子孔が穿設されている。
【００１８】
また、透明板連結部９ｂは、支持棒９５と支持棒９５から対称的に分岐した所定の本数の足９６とを一体成形されたものである。ここで、足９６は支持棒９５から、図示のように四本が分岐されているが、これに限らず、透明板連結部９ｂが連結する透明板５ａ〜５ｅの枚数と同数に分岐されたものを用いる。例えば２枚の透明板を連結する場合は足が二本のものを、また、３枚の透明板を連結するときは三本の足が分岐されているものを選択することができる。
支持棒９５に四本の足９６が接続される場合には、透明板連結部９ｂは、四本の足９６が略正方形の頂点の位置関係にあり、かつその略正方形の中心軸上の支持棒９５に各足９６がそれぞれ円弧を描いて一体となったものである。なお、二本の足が支持棒に接続される場合には、同じような形状とか略Ｙ型の形状などが考えられる。各足９６の先端部外周には螺子山が切ってあり、その内側には、平板の透明板受け板９７が貫通されて固着されている。一方、支持棒９５で各足９６が接続されていない側、すなわちパイプフレーム連結部９ａ側については、所定の長さで螺子山が切ってある。支持棒９５は、パイプフレーム連結部９ａのリング９１側面に穿設されている螺子孔と螺合される。この螺合のさせ方によりジョイント金物９の全長を調整可能としている。
【００１９】
以下、半屋内空間を画成する組立構造１をユニット住宅６に取り付ける手順を説明する。
最初に、この組立構造１が取り付けられるユニット住宅６を説明する。図３（ａ）は組立構造１が取り付けられるユニット住宅６の一部を示す平面図であり、（ｂ）は組立構造１が部分的に取り付けられた後のユニット住宅６と組立構造１を示す平面図である。
ユニット住宅６は、その構成単位であるユニットを組み合わせて構築されている。すなわち、住宅ユニット６のユニットの各角に柱としてのポール６ｃが配置され、所定の距離離して外壁フレーム６ｄが複数設けられている。そして、外側に外壁６ａが取り付けられている。ポール６ｃの一端とそれに一番近い外壁フレーム６ｄとの間隔、この外壁フレーム６ｄと次の外壁フレーム６ｄとの間隔は、何れも例えば２５０ｍｍであり、それ以降での外壁フレーム６ｄ同士の間隔は、例えば５００ｍｍである。なお、図中のｎは正の整数で、５００ｍｍ間隔に外壁フレーム６ｄが設けられていることを意味している。また、記号ａで示した一点鎖線は、ドッキングラインと呼ばれるもので、ユニット間の接合部を示す仮想線である。
【００２０】
このユニット住宅６に組立構造１を取り付ける第一工程として、図１に示すように、配置地面に基礎７を造るとともに、ユニット住宅６への下地造りを行う。基礎造りとして、地面の所望の位置に、ユニット住宅６の基礎６ｅと同様に所望の大きさの基礎７を構築する。この基礎７は総基礎でもよい。基礎７を構築する際には、第一の縦のパイプ２ａ１と第四の縦パイプ２ａ４と第五の縦のパイプ２ａ５が鉛直方向に建てられるように、基礎７に基礎穴７１を成形することが好ましいが、基礎７を構築した後に基礎穴７１を形成してもよい。
【００２１】
図４は、ユニット住宅６への下地造りを説明するための説明図で、（ａ）はパイプ取付箇所にユニット住宅６の外壁フレーム６ｄがある場合を、（ｂ）はパイプ取付箇所にユニット住宅６の外壁フレーム６ｄがない場合を示す。ユニット住宅６への下地造りとして、外壁６ａのパイプ取付箇所にパイプ取付具８を固着する。パイプ取付具８は、パイプフレーム４とユニット住宅６との接点を保持するものである。図４に示すように、パイプ取付具８は、螺子８ａを貫通する孔８ｂが穿設された鍔８ｄを有し、凸部８ｃが成形された四角や円形の部材である。この凸部８ｃにパイプフレーム４の継ぎ材３が嵌着することで、パイプフレーム４の位置ズレを防止することができる。
図４（ａ）に示すように、外壁６ａへの取付箇所の奥側、すなわち、住宅内部側に外壁フレーム６ｄがある場合は、螺子８ａが外壁６ａを貫いて外壁フレーム６ｄまでねじ込まれることで、パイプ取付具８を外壁６ａに固着させる。一方、図４（ｂ）に示すように、外壁６ａへの取付箇所の奥側に外壁フレーム６ｄがない場合は、パイプ取付具８を固着する位置の外壁６ａ裏面に、所定の厚さの合板８１を配置して、螺子８ａを外壁６ａを貫いて合板８１までねじ込むことにより、パイプ取付具８を外壁６ａに固着させる。
このようにして、奥側に外壁フレーム６ｄがあるか否かにかかわらず、外壁６ａの任意の位置に、パイプ取付具８を取り付けることができる。
【００２２】
次に、第二工程として、縦横のパイプ２ａ，２ｂを組み立ててパイプフレーム４を構築する。
図５は、第一工程および第二工程を経た段階での斜視図である。図５に示すように、前述した各種の縦横のパイプ２ａ，２ｂを碁盤の目のように格子状に組み立てて所望の大きさのパイプフレーム４を構築する。このパイプフレーム４は、半屋内空間の前面、上面および両側面とを有する三次元構造である。図５のように、大開口のサッシ窓６ｆが取り付けられた外壁６ａに対して、パイプフレーム４を構築する。この際、半屋内空間の上面に該当するパイプフレーム４については、所望の傾斜を形成するように、各種の縦横のパイプ２ａ，２ｂを組み立てることで、雪などの重みに耐える措置を講じなくてすむ。
【００２３】
以下、第二工程で行われる縦横のパイプ２ａ，２ｂ同士の接続の仕方を説明する。図６は、図５の箇所Ｂの斜視図、すなわち、第五の縦のパイプ２ａ５に対して、第一の横のパイプ２ｂ１を一対接続する仕方を説明した斜視図である。第五の縦のパイプ２ａ５には、第一の横のパイプ２ｂ１との接続箇所において十字に接続できるように接続部２ｃが形成されている。接続部２ｃの径は、第五の縦のパイプ２ａ５の径より小さくなっている。
矢印で示す方向に、第一の横のパイプ２ｂ１を接続部２ｃ内に差し込む。そして、接続部２ｃの螺子孔２ｃ１と第一の横のパイプ２ｂ１の孔２１とを合わせ、ワッシャをはめて螺子２ｄで螺子止めして接続部２ｃと第一の横のパイプ２ｂ１とをそれぞれ連結させる。なお、螺子孔２ｃ１や孔２１は組立作業時に穿設してもよいが、予め穿設されていてもよい。
【００２４】
図７は図５の箇所Ｃの斜視図、すなわちパイプ接続箇所がパイプフレーム４の頂点ではないが、第一の縦のパイプ２ａ１と第一の横のパイプ２ｂ１と第二の横のパイプ２ｂ２のそれぞれの端同士を接続する仕方を説明した斜視図である。図５の箇所Ｃにおいては、四方向に接続部３ａ１，３ａ２を有する継ぎ材３ａが用いられる。この四方向とは、上下の二方向とそれら二方向に対して何れも垂直、すなわち同一水平面内で略直角をなす二方向とである。四方向の各接続部３ａ１，３ａ２に、互いに直交する第一の横のパイプ２ｂ１と第二の横の２ｂ２と上下の第一の縦のパイプ２ａ１とがそれぞれ矢印の方向に嵌着されて、図６の場合と同様、螺子孔３１と孔２１とを合わせ、また螺子孔３２と孔２２とを合わせて、それぞれワッシャをはめた螺子（図示せず）を挿入して螺子止めされる。
【００２５】
図８は、図５の箇所Ｄの斜視図、すなわち、パイプ接続箇所がパイプフレーム４の頂点で、半屋内空間の屋根と同等の傾斜を有する第二の縦のパイプ２ａ２と鉛直方向の第一の縦のパイプ２ａ１と第一の横のパイプ２ｂ１のそれぞれの端同士を接続する仕方を説明した斜視図である。図５の箇所Ｄにおいては、三方向に接続部３ｂ１，３ｂ２を有する継ぎ材３ｂが用いられる。この三方向とは、半屋内空間の前面内で鉛直方向と、その鉛直方向に対して垂直な方向と、その前面の法線方向に対して屋根の傾斜分傾いた方向とである。三方向の各接続部３ｂ１，３ｂ２に、半屋内空間の屋根と同等の傾斜を有する第二の縦のパイプ２ａ２と鉛直方向の第一の縦のパイプ２ａ１と第一の横のパイプ２ｂ１とを、それぞれ矢印の方向に嵌着して、図６の場合と同様に、螺子孔３３と孔２２とを合わせ、螺子孔３４と孔２１とを合わせて、それぞれ、ワッシャをはめた螺子（図示せず）を挿入して螺子止めする。
【００２６】
図９は、図５の箇所Ｅの斜視図、すなわち、パイプ接続箇所が屋根の軒下でユニット住宅の外壁近傍において、パイプ取付具８と、鉛直方向の第三の縦のパイプ２ａ３と、半屋内空間の屋根と同等の傾斜を有する第二の縦のパイプ２ａ２と、第一の横のパイプ２ｂ１のそれぞれの端同士を接続する仕方を接続した斜視図である。図５の箇所Ｅにおいては、四方向に接続部３ｃ１，３ｃ２，３ｃ３を有する継ぎ材３ｃが用いられる。この四方向とは、半屋内空間の前面と平行な面内で鉛直方向と、それに垂直な横方向と、その平行な面に対して法線方向と、その法線方向と逆向きで屋根の傾斜分傾いた方向とである。なお、継ぎ材３ｃは何れの方向にも接続部３ｃ１，３ｃ２，３ｃ３を備えるが、上記法線方向の接続部３ｃ２の内径は、他の接続部３ｃ１，３ｃ３の内径と異なり、パイプ取付具８の凸部８ｃの外径に対応していればよい。
各接続部３ｃ１，３ｃ２，３ｃ３に、それぞれ矢印で示すように、半屋内空間の屋根と同等の傾斜を有する第二の縦のパイプ２ａ２と、鉛直方向の第三の縦のパイプ２ａ３と、第一の横のパイプ２ｂ１とを嵌着して、継ぎ材３ｃがパイプ取付具８の凸部８ｃにはめ込む。なお、前述と同様に、それぞれ孔２１，２２，３６と螺子孔３５，３７，８１とをそれぞれ合わせてワッシャをはめた螺子（図示せず）を挿入して螺子止めされる。なお、図５において、縦横の各パイプの他の接続箇所についても、基本的に同様に行うことができる。
【００２７】
次に、第三工程として、第二工程で構築したパイプフレーム４にジョイント金物９を取り付ける。
図１０は、構築したパイプフレームにおける接続箇所にジョイント金物を取り付ける態様を示し、（ａ）は側面図、（ｂ）は斜視図である。なお、図６の説明例に対応させて示してある。例えば、各接続部２ｃから等距離にある第五の縦のパイプ２ａ５の側面に孔２ｅを穿設し、ジョイント金物９の螺子棒９２を貫通させて、ジョイント金物受け板９８の孔９８ａを貫通させてナット９９で螺子止めする。ここで、ジョイント金物受け板９８は、第五の縦のパイプ２ａ５の側面形状に沿うように湾曲に形成されている。
【００２８】
次に、第四工程として、接続箇所に取り付けたジョイント金物９の足９６に対し、それぞれ透明板５ａを取り付ける。
図１１は、ジョイント金物９の足９６に透明板５ａを取付固着させる仕方を説明した側面図で、（ａ）は取付固着前の状態、（ｂ）は取付固着後の状態を示している。ジョイント金物９の足９６に透明板５ａの角隅部の孔５１を通し、ナット９ａにより螺子止めして、透明板５ａをジョイント金物９に取付固着させる。その際、透明板５ａの角隅部の孔５１は予め穿設されていてもよいが、パイプフレーム４の位置関係や左右上下などの他の透明板５ａ〜５ｅとの関係を考慮して取付時に穿設するようにしてもよい。また、透明板５ａ〜５ｅ同士は、所定の間隔を開けて取付固着させることが好ましい。
【００２９】
その後、以上の一連の組立取付態様では、両サイドには透明板を取り付けていないので、ユニット住宅６と一体性を持たせるために、図１２に示すように、略長方形または正方形の外壁１０ａと台形の外壁１０ｂとを両サイドに取り付け、仕上げとして、ユニット住宅６にわたって化粧胴差１０ｃを付ける。なお、両サイドにも前面と同様に透明板を取り付けて、半屋内空間の屋根と両サイドと前面とを全て透明板で覆っても構わない。
【００３０】
また、ユニット住宅６においては、外壁６ａの下端には土台水切り６ｇが付けられるのが通常であるが、半屋内空間の外周下端には土台水切りを付けなくてもよい。これは、ユニット住宅６には防水処理を完全に行うが、後付けである半屋内空間側は居室ではなく、あくまでも中間的な場、例えば一階のベランダのような感覚の場所なので、防水処理についてもユニット住宅６に施されているレベルまで行う必要がなく、ある程度まででよいことによる。
【００３１】
以上説明したように、本発明によれば、ユニット住宅外壁の所望の箇所に所望の大きさの半屋内空間を画成する組立構造を取り付けることができる。また、半屋内空間内には、透明板の隙間を通じて外気を取り入れることができるので、自然の風が入り、かつ太陽光の照らされた開放感のある半屋内空間を提供することができる。
【００３２】
なお、パイプフレーム４と外壁６ａとの接続箇所においては、各種の縦横のパイプ２ａ，２ｂの接続は、図９に示した継ぎ材３ｃを用いたが、図１３に示すように、ユニット住宅６の外壁６ａに図４や図９に示すパイプ取付具８を固着するとともに第三や第四の縦のパイプ２ａ３，２ａ４の外周にジョイント金物受け板９８を当接し、パイプ取付具８とジョイント金物受け板９８との間に筋かい９ｄを介在させてパイプフレーム４の強度を高めてもよい。筋かい９ｄは、リング９ｄ１の両側面に螺子孔が形成されており、その螺子孔にＴ字の支持棒９ｄ２が螺合されたものである。
また、以上の説明では、ユニット住宅６の外壁６ａに取り付ける場合を説明したが、一般の家屋の外壁に取り付けることもできる。
【００３３】
以上、本発明の実施の形態について説明したが、本発明は特許請求の範囲に記載した発明の範囲内において種々の変更が可能であり、それらも本発明の範囲内に含まれることはいうまでもない。例えば、透明板をジョイント金物に取り付ける際に、隣り合う透明板と隙間を開けないようにすることも可能である。
【００３４】
【発明の効果】
以上説明したように、本発明によれば、ユニット住宅に対して所望のオーダーメイドの半屋内空間を提供することができる。また、組立構造はユニット住宅の外壁に取り付けるので後付けも可能である。その際、相互に隙間を開けて透明板をパイプフレームに取り付けるので、外気を隙間から取り入れでき、自然な風が吹き太陽光で照らされる開放感のある半屋内空間を提供できる。
【図面の簡単な説明】
【図１】本発明の実施の形態に係る半屋内空間を画成する組立構造の斜視図である。
【図２】（ａ）は図１のＡの箇所の斜視図で、（ｂ）は断面図である。
【図３】（ａ）は組立構造が取り付けられるユニット住宅の平面図で、（ｂ）は組立構造が一部取り付けられた後のユニット住宅と組立構造の平面図である。
【図４】ユニット住宅への下地造りを説明するための説明図で、（ａ）はパイプ取付箇所に外壁フレームがある場合、（ｂ）パイプ取付箇所に外壁フレームがない場合を示す。
【図５】第二工程を経た段階での組立構造の斜視図である。
【図６】図５の箇所Ｂの斜視図である。
【図７】図５の箇所Ｃの斜視図である。
【図８】図５の箇所Ｄの斜視図である。
【図９】図５の箇所Ｅの斜視図である。
【図１０】パイプフレームにジョイント金物を取り付ける態様を示し、（ａ）は側面図、（ｂ）は斜視図である。
【図１１】ジョイント金物の足に透明板を取付固着させる仕方の説明図で、（ａ）は取付固着前の状態の側面図、（ｂ）は取付固着後の状態の側面図である。
【図１２】取付完了段階での組立構造の斜視図である。
【図１３】縦のパイプと外壁との間に筋かいを介在させる態様を示した側面図である。
【図１４】ユニット住宅などに取り付けられるサンルームの斜視図である。
【符号の説明】
１                    組立構造
２ａ，２ａ１〜２ａ６  縦のパイプ
２ｂ，２ｂ１，２ｂ２  横のパイプ
３，３ａ，３ｂ，３ｃ  継ぎ材
４                    パイプフレーム
４ａ，４ｂ            領域
５ａ〜５ｅ            透明板
６                    ユニット住宅
８                    パイプ取付具
９                    ジョイント金物
９ａ                  パイプフレーム連結部
９ｂ                  透明板連結部
９３                  パイプ受け板
９８                  ジョイント金物受け板
【図１】
2005002580.tif 000003
【図２】
2005002580.tif 000004
【図３】
2005002580.tif 000005
【図４】
2005002580.tif 000006
【図５】
2005002580.tif 000007
【図６】
2005002580.tif 000008
【図７】
2005002580.tif 000009
【図８】
2005002580.tif 000010
【図９】
2005002580.tif 000011
【図１０】
2005002580.tif 000012
【図１１】
2005002580.tif 000013
【図１２】
2005002580.tif 000014
【図１３】
2005002580.tif 000015
【図１４】
2005002580.tif 000016